(57)【要約】【課題】ストラップの長さを調節したいときなど、安全機能として作用させる以外の理由で係合体を積極的に係合解除する際に、安全機能として作用させて係合解除させる抜脱力より小さな抜脱力で係合解除できるようにする。【解決手段】紐状のストラップ本体２と、このストラップ本体２の両端部に所定の正規方向Ｄに一定以上の力で係合又は係合解除する安全装置を構成する一対の係合体３とを備え、これら係合体３同士を係合することにより前記ストラップ本体２が環状をなすように形成されるストラップ１であって、係合体３同士が係合した状態で、前記係合体３が、前記正規方向Ｄとは異なる方向へ操作力を加えた際に、その操作力を前記係合体３同士の係合解除方向への力に変換する係合解除促進手段を設けるようにした。【選択図】図２
2004041386.tif 000002
【特許請求の範囲】
【請求項１】
紐状のストラップ本体と、このストラップ本体の両端部に所定の正規方向へ一定以上の力で係合又は係合解除する安全装置を構成する一対の係合体とを備え、これら係合体同士を係合させることにより前記ストラップ本体が環状をなすように構成されるストラップであって、係合体同士が係合した状態で、前記係合体が、前記正規方向とは異なる所定方向へ操作力を加えた際に、その操作力を前記係合体同士の係合解除方向への力に変換する係合解除促進手段を設けていることを特徴とするストラップ。
【請求項２】
前記係合解除促進手段を、一方の係合体に形成した正規の係合方向へ膨出する膨出部と、他方の係合体に形成した前記膨出部を収容し得る収容部とから構成し、前記操作力を加えた際にこの膨出部の縁部と収容部の縁部とが相互に押し当たることによって前記係合解除方向の力が生じるように構成していることを特徴とする請求項１記載のストラップ。
【請求項３】
一方の係合体に正規の係合方向へ突出する突部を設け、他方の係合体にこの突部と嵌合可能な凹部を設け、これら係合体同士を係合した際に、前記突部と前記凹部とが嵌合するように構成していることを特徴とする請求項２記載のストラップ。
【請求項４】
前記突部あるいは凹部が、係合又は係合解除方向と直交する方向に突出する係合要素を備える一方、前記凹部あるいは突部がこの係合要素と係合する被係合要素を備え、前記膨出部と収容部とが係合又は係合解除方向へ移動するのに伴って、これら係合要素と被係合要素とが係合又は係合解除するように構成していることを特徴とする請求項３記載のストラップ。
【請求項５】
前記係合体の少なくともいずれか一方に、前記正規方向と平行をなすスリットを備え、係合又は係合解除する際にこのスリットが弾性変形するように構成していることを特徴とする請求項１、２、３又は４記載のストラップ。
【請求項６】
前記係合体が、前記ストラップ本体を挿通する挿通孔と、この挿通孔に挿通させたストラップ本体の先端部に形成する結び目を収容するストラップ端収納部とを備えていることを特徴とする請求項１、２、３、４又は５記載のストラップ。
【請求項７】
前記挿通孔が、前記正規方向と略直交する方向に長手寸法を有するように形成した扁平状の扁平口部の開口幅方向における略中央部に、この扁平口部の開口高さ寸法より大きな高さ寸法を有する開口部を備えるように構成していることを特徴とする請求項６記載のストラップ。
【請求項８】
前記正規方向と前記正規方向とは異なる方向とが略直交する方向であることを特徴とする請求項１、２、３、４、５、６又は７記載のストラップ。
【発明の詳細な説明】
【０００１】
【発明の属する技術分野】
本発明は、名札、ＩＤカードや携帯電話等を首から吊り下げて使用するストラップに関するものである。
【０００２】
【従来の技術】
近年、名札を取り付けるピンで服に孔が開くといった問題も生じず、また、名札をクリップで取り付けるためのポケット等が不要であり着る服を選ばないなどの理由から、名札やＩＤカード等を取り付けて首等から吊り下げて使用するタイプのストラップが使用されるようになってきている。そして、このようなタイプのストラップには、一定以上の力が加わった際に係合又は係合解除し安全装置を構成する一対の係合体を紐状のストラップ本体の両先端部に設け、例えば、吊り下げた名札やＩＤカード等が人に引っ掛かったりドアに挟まれたりしたときにストラップ本体に加わった張力が係合体に作用し、この張力によって係合体が係合解除して安全機能として作動し、ストラップで首が絞まってしまうといった事故を防止するように構成されている。
【０００３】
【発明が解決しようとする課題】
ところが、このような従来のストラップの構成では、例えば、ストラップの長さを調節したいときなど、安全機能として作用させる以外の理由で係合体を係合解除する場合にも、安全機能として作用する時の抜脱力と同じ抜脱力で係合解除する必要がある。しかしながら、例えば、携帯電話やポシェット等の比較的重いものをストラップに吊り下げる場合には係合力を大きくする必要があるなど、ストラップに吊り下げる対象物の種類によって安全確保のために必要な係合体同士の係合力又は抜脱力が決まってくるため、安全機能として作用させる以外の理由で係合体を係合解除するときの抜脱力は必然的に大きくなってしまう。このように、係合体を積極的に係合解除したい場合に大きな抜脱力を加える必要が生じ、作業が行い難いといった問題が起こっていた。
【０００４】
そこで本発明は、上述した不具合を解決することを主たる目的とするものである。
【０００５】
【課題を解決するための手段】
すなわち、本発明に係るストラップは、紐状のストラップ本体と、このストラップ本体の両端部に所定の正規方向へ一定以上の力で係合又は係合解除する安全装置を構成する一対の係合体とを備え、これら係合体同士を係合させることにより前記ストラップ本体が環状をなすように構成されるストラップであって、係合体同士が係合した状態で、前記係合体が、前記正規方向とは異なる所定方向へ操作力を加えた際に、その操作力を前記係合体同士の係合解除方向への力に変換する係合解除促進手段を設けていることを特徴とする。
【０００６】
このようなものであれば、一定以上の力が加わった際に、係合体の係合が解除され首が絞まるといった事故を防止することができるとともに、係合解除方向とは異なる方向へ操作力を加えれば、その操作力が前記係合体の係合解除方向への力に変換されるため、積極的な係合解除を簡単に行うこともできるため、例えば、ストラップの端部を露出させて、ストラップの長さ調整を行うといった作業も簡単に行うことができる。
【０００７】
ここで、前記係合解除促進手段の具体的な態様としては、前記係合解除促進手段を、一方の係合体に形成した正規の係合方向へ膨出する膨出部と、他方の係合体に形成した前記膨出部を収容し得る収容部とから構成し、前記操作力を加えた際にこの膨出部の縁部と収容部の縁部とが相互に押し当たることによって前記係合解除方向の力が生じるように構成したものが挙げられる。
【０００８】
また、係合体同士をしかっりと係合させるようにするためには、一方の係合体に正規の係合方向へ突出する突部を設け、他方の係合体にこの突部と嵌合可能な凹部を設け、これら係合体同士を係合した際に、前記突部と前記凹部とが嵌合するように構成していることが好ましく、さらに、前記突部あるいは凹部が、係合又は係合解除方向と直交する方向に突出する係合要素を備える一方、前記凹部あるいは突部がこの係合要素と係合する被係合要素を備え、前記膨出部と収容部とが係合又は係合解除方向に移動するのに伴って、これら係合要素と被係合要素とが係合又は係合解除するように構成すればよい。
【０００９】
ところで、係合及び係合解除をスムーズに行えるようにするためには、前記係合体の少なくともいずれか一方に、前記正規方向と平行をなすスリットを備え、係合又は係合解除する際にこのスリットが弾性変形するように構成していることが望ましい。
【００１０】
また、ストラップ本体の長さを調節可能にするとともに優れた外観を有するストラップを提供するためには、前記係合体が、前記ストラップ本体を挿通する挿通孔と、この挿通孔に挿通させたストラップ本体の先端部に形成する結び目を収容するストラップ端収納部とを備えていることが好ましい。
【００１１】
さらに、前記挿通孔が、前記正規方向と略直交する方向に長手寸法を有するように形成した扁平状の扁平口部の開口幅方向における略中央部に、この扁平口部の開口高さ寸法より大きな高さ寸法を有する開口部を備えるように構成すれば、この挿通孔に平紐や丸紐等の任意の形状を有するストラップ本体を好適に挿通できる。
【００１２】
なお、前記正規方向と前記正規方向とは異なる方向とが略直交する方向であれば、正規方向と直交する方向にねじるだけで簡単に係合解除することができる。
【００１３】
【発明の実施の形態】
以下、本発明の一実施形態について図面を参照して説明する。
【００１４】
図１は、本実施形態におけるストラップ１の概観を示すように、紐状のストラップ本体２と、このストラップ本体２の両端部に所定方向に一定以上の力で係合又は係合解除する対をなす凸係合体３ａと凹係合体３ｂ（以下、係合体３と総称する）と、ストラップ本体２に取り付けたネームホルダ４とを備え、これら凸係合体３ａと凹係合体３ｂとを係合させて環状をなすようにストラップ１を形成し、そして、ストラップ１を首Ｎ等に吊り下げてネームホルダ４を胸部Ｃ等に位置付けて使用できるように構成している。なお、本実施形態において、図４における紙面上下方向を係合体３の上下方向、紙面奥行き方向を係合体３の表面及び裏面と定義し、さらに、凸係合体３ａの表面又は裏面と凹係合体３ｂとの表面又は裏面とを同一方向に位置付けた状態でこれら各部を係合又は係合解除する向きを正規方向Ｄと定義して説明する。
【００１５】
以下、これら各部を詳述する。
【００１６】
前記ストラップ本体２は、図２等に示すように、その長手方向と直交する方向に略矩形状の断面を有する平織り等で形成した扁平な紐であって、図６に示すように、その両先端部を適宜長さで断裁すると共にその両先端部に結び目２１を形成し、この結び目２１によって前記係合体３からストラップ本体２の抜け落ちを防止するように構成している。
【００１７】
前記凸係合体３ａは、図２〜図８に示すように、表裏対称の形状を有するものであって、略円筒状を有すると共にその係合解除方向側端部を係合解除方向側に膨出するよう部分円弧状に丸めた凸係合体本体部３ａ１と、この凸係合体本体部３ａ１の上下側端縁及び係合解除方向側端縁にその上下方向及び係合解除方向へ膨出する凸係合体フランジ部３ａ２と、その凸係合体本体部３ａ１の係合方向側端縁より係合方向に突出する略円筒状の突部３ａ３とを備えている。さらに、前記凸係合体フランジ部３ａ２に、その係合解除側端縁に前記ストラップ本体２を挿通する凸係合体挿通孔３ａ４と、凸係合体本体部３ａ１の内部にこの凸係合体挿通孔３ａ４に挿通させたストラップ本体２の先端部に形成する結び目２１を収容する凸係合体ストラップ端収納部３ａ５とを設け、これら各部を樹脂成形にて一体に形成している。
【００１８】
より具体的には、この凸係合体本体部３ａ１は、係合方向側端縁の上下方向略中央部を係合解除方向側に部分円弧状に凹ませ且つその周端縁を内側に向けて略９０°屈曲させ起立させた縁部３Ｘを備える収容部３ａ１１を有すると共に、その表面及び裏面から表面側及び裏面側に膨出する前記正規方向Ｄに整列させた３個の突起３Ｔをそれぞれ有している。凸係合体フランジ部３ａ２は、前記正規方向Ｄにおいて前記凸係合体挿通孔３ａ４と重合する位置に、前記ストラップ本体２を挿通可能な凸係合体溝部３ａ２１を備えている。突部３ａ３は、その内部に係合方向側へ開口すると共に前記凸係合体ストラップ端収納部３ａ５と連通する円筒空間３ａ３０を備えた突部本体３ａ３１と、この突部本体３ａ３１の上下側端縁にその基端から先端に亘って正規方向Ｄと平行に切り欠いたスリット３ａ３２と、その突部本体３ａ３１の先端部側周端縁に円周方向に沿って外側へ膨出させた係合要素３ａ３３とを備えるように構成している。凸係合体挿通孔３ａ４は、上下方向に長手寸法を有する扁平状の扁平口部ｎを備えるものであって、その扁平口部ｎの長手寸法及び開口高さ寸法を凸係合体フランジ部３ａ２の上下方向及び表裏方向の寸法より若干小さく設定している。凸係合体ストラップ端収納部３ａ５は、断面視略円形状を有する凸係合体ストラップ端収納空間３ａ５１を備え、この凸係合体ストラップ端収納空間３ａ５１にストラップ本体２の先端部に形成した結び目２１を収納し得るように構成している。そして、凸係合体挿通孔３ａ４から挿通させたストラップ本体２の先端部を係合方向に露出することができるように、この凸係合体ストラップ端収納空間３ａ５１を、前記凸係合体フランジ部３ａ２の凸係合体溝部３ａ２１と連通させ、凸係合体３ａ内部において、凸係合体挿通孔３ａ４、凸係合体ストラップ端収納部３ａ５の凸係合体ストラップ端収納空間３ａ５１、凸係合体溝部３ａ２１及び突部本体３ａ３１の円筒空間３ａ３０がそれぞれ連通するように構成している。しかして、この凸係合体挿通孔３ａ４からストラップ本体２の先端を挿入しその先端に形成した結び目２１をこの凸係合体ストラップ端収納空間３ａ５１に収容することができる。
【００１９】
前記凹係合体３ｂは、図２〜図８に示すように、表裏対称の形状を有するものであって、略円筒状を有すると共にその係合解除方向側端部を係合解除方向側に膨出するよう部分円弧状に丸めた凹係合体本体部３ｂ１と、この凹係合体本体部３ｂ１の上下側端縁及び係合解除方向側端縁にその上下方向及び係合解除方向へ膨出する凹係合体フランジ部３ｂ２と、この凹係合体本体部３ｂ１の係合方向側端部に係合解除方向へ前記突部３ａ３と嵌合し得るように凹ませた凹部３ｂ３とを備えている。さらに、前記凹係合体フランジ部３ｂ２に、その係合解除側端縁に前記ストラップ本体２を挿通する凹係合体挿通孔３ｂ４と、その内部にこの凹係合体挿通孔３ｂ４に挿通させたストラップ本体２の先端部に形成する結び目２１を収容する凹係合体ストラップ端収納部３ｂ５を設け、これら各部を樹脂成形にて一体に形成している。
【００２０】
より具体的には、この凹係合体本体部３ｂ１は、係合方向側端縁の上下方向略中央部を係合方向側に部分円弧状に膨出させ且つその周端縁を内側に向けて略９０°屈曲させ起立させた縁部３Ｙを備える膨出部３ｂ１１を有すると共に、その表面及び裏面から表面側及び裏面側に膨出する前記正規方向Ｄに整列させた３個の突起３Ｔをそれぞれ有するように構成し、前記凸係合体３ａの収容部３ａ１１の縁部３Ｘとこの膨出部３ｂ１１の縁部３Ｙとが押し当たることにより係合解除方向の力を発生する係合解除促進手段として機能するように設定している。凹係合体フランジ部３ｂ２は、前記正規方向Ｄで前記凹係合体挿通孔３ｂ４と重合する位置に、前記ストラップ本体２を挿通可能な凹係合体溝部３ｂ２１を備えている。凹部３ｂ３は、断面視略円形状の突部収容空間３ｂ３１を有し、凸係合体３ａと凹係合体３ｂとを係合させた際にこの突部収容空間３ｂ３１に表出し前記凸係合体３ａの係合要素３ａ３３と係合する部位に、被係合要素３ｂ３２を備えるように構成している。凹係合体挿通孔３ｂ４は、上下方向に長手寸法を有する扁平状の扁平口部ｎを備えるものであって、その扁平口部ｎの長手寸法及び開口高さ寸法を凹係合体フランジ部３ｂ２の上下方向及び表裏方向の寸法と略同一に設定している。凹係合体ストラップ端収納部３ｂ５は、断面視略円形状を有するストラップ本体収容空間３ｂ５１を備え、このストラップ本体収容空間３ｂ５１にストラップ本体２の先端部に形成した結び目２１を収納し得るように構成している。そして、凹係合体挿通孔３ｂ４から挿通させたストラップ本体２の先端部を係合方向に露出することができるように、このストラップ本体収容空間３ｂ５１を前記凹係合体フランジ部３ｂ２の凹係合体溝部３ｂ２１と連通させ、凹係合体３ｂ内部において、凹係合体挿通孔３ｂ４、凹係合体ストラップ端収納部３ｂ５のストラップ本体収容空間３ｂ５１、凹係合体溝部３ｂ２１及び凹部３ｂ３の突部収容空間３ｂ３１がそれぞれ連通するように構成している。しかして、この凹係合体挿通孔３ｂ４からストラップ本体２の先端を挿入しその先端に形成した結び目２１をこの凹係合体ストラップ端収納空間３ｂ５１に収容することができる。
【００２１】
次に、以上のように構成したストラップ１の係合体３を係合する方法について説明する。
【００２２】
まず、図２に示すように、凸係合体３ａと凹係合体３ｂとが離間した状態から凸係合体３ａの突部３ａ３と凹係合体３ｂの凹部３ｂ３とが嵌合するように近づける。そしてこの突部３ａ３の先端部と凹部３ｂ３の開口端とを係り合わせると、突部３ａ３に設けたスリット３ａ３２が弾性変形し、突部３ａ３の先端部が若干すぼまる。この状態からさらにこれら各部を係合方向に近づけると、図４〜図６に示すように、突部３ａ３の係合要素３ａ３３と凹部３ｂ３の被係合要素３ｂ３２とが係り合うこととなる。このとき、弾性変形によりすぼまっていた突部３ａ３の先端部は復元し、これら係合要素３ａ３３及び被係合要素３ｂ３２によって好適に嵌合されることとなる。
【００２３】
次に、ストラップ１の係合体３が強制的に係合解除される場合について説明する。
【００２４】
例えば、図１に示すように、首Ｎから吊り下げた名札やＩＤカード等が人に引っ掛かったりドアに挟まれたりした際にはストラップ本体２に張力が発生する。このストラップ本体２に発生した張力は、結び目２１に伝達されこの結び目２１が各ストラップ端収納部３ａ５、３ｂ５を内側から係合解除方向へ押圧するように各係合体３へ作用し、凸係合体３ａの係合要素３ａ３３と凹係合体３ｂの被係合要素３ｂ３２とを離間させるように働く。そして、この張力が、凸係合体３ａの係合要素３ａ３３と凹係合体３ｂの被係合要素３ｂ３２との脱抜力よりも大きければこれら各部は係合解除され、ストラップ１で首Ｎが絞まってしまうといった事故を未然に防止することができる。一方、この張力が、凸係合体３ａの係合要素３ａ３３と凹係合体３ｂの被係合要素３ｂ３２との脱抜力よりも小さければこれら各部は係合解除されず、係合状態を維持することとなる。すなわち、凸係合体３ａの係合要素３ａ３３と凹係合体３ｂの被係合要素３ｂ３２との脱抜力を適宜設定することにより、任意の張力に対応して安全装置として機能するストラップ１を提供することができるため、携帯電話やポシェット等の比較的重いものをストラップ１に吊るすことができる。
【００２５】
次に、例えばストラップ本体２の長さを調整するため等の理由で係合体３を積極的に係合解除する場合について説明する。
【００２６】
まず、図４〜図６に示すように、係合体３が係合している状態にあるときに、各フランジ部３ａ２、３ｂ２や前記突起３Ｔ等に指をかけ、正規方向Ｄと直交する方向に操作力を加えると、凸係合体３ａの収容部３ａ１１の縁部３Ｘと凹係合体３ｂの膨出部３ｂ１１の縁部３Ｙとが押し当たり、この操作力はこれら各部を互いに離間させる方向すなわち係合解除させる方向へと変換されて、係合状態にある凸係合体３ａの係合要素３ａ３３と凹係合体３ｂの被係合要素３ｂ３２とが係合解除するように作用する。そして、さらに正規方向Ｄと直交する方向に操作力を加えれば、凸係合体３ａの収容部３ａ１１の縁部３Ｘと凹係合体３ｂの膨出部３ｂ１１の縁部３Ｙとは押し当たりながらそれぞれ離間するように移動するとともに、前記突部３ａ３のスリット３ａ３２が弾性変形してその先端がすぼまる。このように、強制的に係合体３が係合解除される際のように瞬間的に係合解除される場合よりも小さな脱抜力で各係合体３を係合解除できるため、正規方向Ｄと直交する方向に加える操作力は、比較的小さな操作力を徐々に加えながら操作すればよいこととなる。しかして、前記凸係合体３ａの収容部３ａ１１の縁部３Ｘと、前記凹係合体３ｂの膨出部３ｂ１１の縁部３Ｙとが係合解除方向の力を生じる係合解除促進手段として機能して、正規方向Ｄに変換された操作力が凸係合体３ａの係合要素３ａ３３と凹係合体３ｂの被係合要素３ｂ３２との脱抜力を越えたときにこれら各部が、図７、図８に示すように、係合解除されることとなる。このように、各係合体３を正規方向Ｄと直交する方向にねじるだけで簡単に係合体３の係合を解除することができる。
【００２７】
ところで、各係合体３を離間させた状態の際に、各係合体３に収納されるストラップ本体２の先端部をおのおの係合方向側に引き出して、それぞれ引き出したストラップ本体２の先端部を適宜長さに断裁し、さらにこの断裁した先端部に止め結び等により結び目２１を形成し、しかるのち、この結び目２１を前記凸係合体ストラップ端収納部３ａ５に収容させれば、ストラップ本体２の長さを簡単に調整することができる。また、このとき、結び目２１は外観視不能となるため、デザイン的にも大変見栄えのよいストラップ１を提供できる。
【００２８】
以上のように、本実施形態のストラップ１は、首Ｎから吊り下げた名札やＩＤカード等が人に引っ掛かったりドアに挟まれたりした場合には、所望の安全装置としての機能を発揮しつつも、例えばストラップ本体２の長さを調整するため等の理由でストラップ１の係合体３を積極的に係合解除したい場合には、正規方向Ｄと直交する方向に操作力を加えるだけで簡単に係合解除できる。このため、ストラップ１の長さを調整したり、ストラップ１の種類を変更することも容易に行える。
【００２９】
また、係合体３は表裏対称に形成されているため、操作力を加える方向は、正規方向Ｄと直交する方向であればいずれかの方向にねじっても係合解除できるため、ねじる方向に縛られることなく好適に操作できる。
【００３０】
なお、各係合体３の挿通孔を、図９、図１０に示すように、前記正規方向Ｄと略直交する方向に長手寸法を有するように形成した扁平状の扁平口部ｎの開口幅方向略中央部に、この扁平口部ｎの開口高さ寸法より大きな高さ寸法を有する例えば円形状の開口部ｍを備えるように構成すれば、例えば丸紐で形成したストラップ本体２をこの開口部ｍに好適に挿通させることができる。この開口部ｍの形状は円形状に限らず矩形状等であってもよい。また、ストラップ本体２を平紐で構成したことにより、ストラップ本体２が首Ｎなどに食い込み難くかけ心地のよいストラップ１を得られたが、メタルチェーンやプラスチックビーズチェーン等他の素材に変えて任意のかけ心地等を得ることもできる。
【００３１】
また、凸係合体３ａに突部３ａ３を設け凹係合体３ｂに凹部３ｂ３を設けこれら各部が嵌合するように構成していたが、凸係合体３ａに凹部３ｂ３を設け凹係合体３ｂに突部３ａ３を設けるようにしても構わない。さらに、この突部３ａ３に係合要素３ａ３３を設け凹部３ｂ３に被係合要素３ｂ３２を設けるように構成していたが、突部３ａ３に被係合要素３ｂ３２を設け凹部３ｂ３に係合要素３ａ３３を設けるように構成してもよく、これらの係合要素３ａ３３及び被係合要素３ｂ３２の形状等も、本実施形態に限られるものではない。
【００３２】
さらに、ネームホルダ４に設けた孔にストラップ本体２を通して、そのネームホルダ４を吊り下げるように構成していたが、ネームホルダ４の取付方法はこれに限らず、例えば、ストラップ本体２に取り付けた金具とネームホルダ４に取り付けた金具とを係合させて取り付けるといった取付方法など各種取付方法が考えられる。
【００３３】
その他、各部の具体的構成についても上記実施形態に限られるものではなく、本発明の趣旨を逸脱しない範囲で種々変形が可能である。
【００３４】
【発明の効果】
以上に詳述したように本発明によれば、首から吊り下げた名札やＩＤカード等が人に引っ掛かったりドアに挟まれたりした場合には、所望の安全装置としての機能を発揮しつつも、例えばストラップ本体の長さを調整するため等の理由でストラップの係合体を積極的に係合解除したい場合には、正規方向と直交する方向に操作力を加えるだけで簡単に係合解除できるストラップを提供することができる。
【図面の簡単な説明】
【図１】本発明の実施形態におけるストラップの使用態様を示す図。
【図２】同実施形態における係合体の係合解除状態を示す図。
【図３】同実施形態における挿通孔の扁平口部にストラップ本体を取り付けた状態を示す図。
【図４】同実施形態における係合体の係合状態を示す正面図。
【図５】同実施形態における係合体の係合状態を示す平面図。
【図６】同実施形態における係合体の係合状態での取付構造を示す断面図。
【図７】同実施形態における係合体を９０°ねじった際の取付構造を示す正面図。
【図８】同実施形態における係合体を９０°ねじった際の取付構造を示す平面図。
【図９】本発明の他の実施形態における係合体の係合解除状態を示す図。
【図１０】同実施形態における挿通孔の開口部にストラップ本体を取り付けた状態を示す図。
【符号の説明】
１・・・ストラップ
２・・・ストラップ本体
３（３ａ、３ｂ）・・・係合体（凸係合体、凹係合体）
３Ｘ・・・収容部３ａ１１の縁部
３Ｙ・・・膨出部３ｂ１１の縁部
３ａ１１・・・収容部
３ａ３・・・突部
３ａ３２・・・スリット
３ａ３３・・・係合要素
３ｂ１１・・・膨出部
３ｂ３２・・・被係合要素
３ｂ３・・・凹部
３ａ４、３ｂ４・・・挿通孔（凸係合体挿通孔、凹係合体挿通孔）
２１・・・結び目
３ａ５、３ｂ５・・・ストラップ端収納部（凸係合体ストラップ端収納部、凹係合体ストラップ端収納部）
Ｄ・・・正規方向
ｍ・・・開口部
ｎ・・・扁平口部
【図１】
2004041386.tif 000003
【図２】
2004041386.tif 000004
【図３】
2004041386.tif 000005
【図４】
2004041386.tif 000006
【図５】
2004041386.tif 000007
【図６】
2004041386.tif 000008
【図７】
2004041386.tif 000009
【図８】
2004041386.tif 000010
【図９】
2004041386.tif 000011
【図１０】
2004041386.tif 000012